(57)【要約】【課題】圧縮機抽気冷却を行うための方法及び装置を提供する。【解決手段】模範的な実施形態によれば、圧縮機抽気冷却を制御するための方法を開示する。本方法は、冷却媒体（１２２）を供給する段階を含むことができる。本方法は、ガスタービン（１００）に関連した圧縮機（１０２）から空気（１１４）を抽出する段階を含むことができる。本方法はまた、圧縮機抽出空気（１１４）に冷却媒体（１２２）を導入する段階を含むことができ、圧縮機抽出空気（１１４）はタービン部分（１０４）への導入の前に又は導入中に冷却媒体（１２２）によって冷却される。更に本方法は、ガスタービン（１００）に関連した特性に少なくとも部分的に基づいて、圧縮機抽出空気（１１４）又は冷却媒体（１２２）の少なくとも一方を選択的に制御する段階とを含むことができる。【選択図】図１
2010242751.tif 000002
【特許請求の範囲】
【請求項１】
圧縮機（１０２）及びタービン部分（１０４）を含むガスタービン（１００）において圧縮機抽気冷却を制御するためのシステム（１２０）であって、
冷却媒体（１２２）を貯蔵するように動作できる１台以上の貯蔵装置（１２４）と、
前記１台以上の貯蔵装置（１２４）から前記冷却媒体（１２２）を受け取り、且つ前記圧縮機抽出空気（１１４）への導入の前に又は導入中に前記冷却媒体（１２２）の少なくとも一部分を導入するように動作できる１台以上の分配装置（１２６）であって、前記圧縮機抽出空気（１１４）が前記タービン部分（１０４）への導入の前に冷却媒体（１２２）によって冷却されるようにする１台以上の分配装置（１２６）と、
前記ガスタービン（１００）に関連した特性に少なくとも部分的に基づいて、前記圧縮機抽出空気（１１４）又は冷却媒体（１２２）の少なくとも一方を選択的に制御するように動作できる１台以上の制御装置（１２８）と、
有することを特徴とするシステム（１２０）。
【請求項２】
タービン部分（１０４）と、
圧縮機（１０２）であって、前記タービン部分（１０４）に導入するために当該圧縮機の少なくとも一部分から空気（１１４）が抽出される、圧縮機（１０２）と、
冷却媒体（１２２）を貯蔵するように動作できる１台以上の貯蔵装置（１２４）と、
前記１台以上の貯蔵装置（１２４）から前記冷却媒体（１２２）を受け取り、且つ前記圧縮機（１０２）の少なくとも一部分から抽出された空気（１１４）への冷却媒体（１２２）の導入の前に又は導入中に冷却媒体（１２２）の少なくとも一部分を導入するように動作できる１台以上の分配装置（１２６）であって、前記空気（１１４）が前記タービン部分（１０４）への導入の前に前記冷却媒体（１２２）によって冷却されるようにする１台以上の分配装置（１２６）と、
ガスタービン（１００）に関連した特性に少なくとも部分的に基づいて、前記圧縮機抽出空気（１１４）又は前記冷却媒体（１２２）の少なくとも一方を選択的に制御するように動作できる１台以上の制御装置（１２８）と、
を有することを特徴とするガスタービン（１００）。
【請求項３】
前記特性は、前記タービン部分（１０４）内の下流側圧力、前記タービン部分（１０４）内の下流側空気温度、前記タービン部分（１０４）の一部分の下流側金属温度、周囲温度、前記圧縮機抽出空気（１１４）に関連した空気流量測定値、前記圧縮機抽出空気（１１４）に関連した圧力測定値、前記圧縮機抽出空気（１１４）に関連した温度測定値、冷却媒体（１２２）流量測定値、冷却媒体（１２２）温度、冷却媒体（１２２）圧力、又はそれらの任意の組合せの内の少なくとも１つを有することを特徴とする、請求項１記載のシステム（１２０）又は請求項２記載のガスタービン（１００）。
【請求項４】
前記ガスタービン（１００）に関連した特性に少なくとも部分的に基づいて、前記圧縮機抽出空気（１１４）又は前記冷却媒体（１２２）の少なくとも一方を選択的に制御することは、（１）前記圧縮機抽出空気（１１４）に導入される前記冷却媒体（１２２）の量を制御すること、（２）前記圧縮機抽出空気（１１４）に導入される前記冷却媒体（１２２）の温度を制御すること、（３）前記圧縮機抽出空気（１１４）に導入される前記冷却媒体（１２２）の圧力を制御すること、（４）前記タービン部分（１０４）に導入される前記圧縮機抽出空気（１１４）の量を制御すること、（５）前記タービン部分（１０４）に導入される前記圧縮機抽出空気（１１４）の温度を制御すること、（６）前記タービン部分（１０４）に導入される前記圧縮機抽出空気（１１４）の圧力を制御すること、又は（７）それらの任意の組合せの内の少なくとも１つを有することを特徴とする、請求項１記載のシステム（１２０）又は請求項２記載のガスタービン（１００）。
【請求項５】
前記１台以上の制御装置（１２８）は、開ループ型制御、能動型制御、閉ループ型制御、又は受動型制御の内の少なくとも１つを実行することができる、請求項１記載のシステム（１２０）又は請求項２記載のガスタービン（１００）。
【請求項６】
前記１台以上の制御装置（１２８）は、前記ガスタービン（１００）に関連した１つ以上の予め定義された目標特性を持つテーブルを含んでいる開ループ型制御装置を有することを特徴としている、請求項１記載のシステム（１２０）又は請求項２記載のガスタービン（１００）。
【請求項７】
圧縮機及びタービン部分（１０４）を含むガスタービン（１００）において圧縮機抽気冷却を制御するための方法であって、
冷却媒体（１２２）を供給する段階と、
ガスタービン（１００）に関連した圧縮機から空気（１１４）を抽出する段階と、
前記圧縮機抽出空気（１１４）に前記冷却媒体（１２２）を導入する段階であって、前記圧縮機抽出空気（１１４）がタービン部分（１０４）への導入の前に又は導入中に前記冷却媒体（１２２）によって冷却されるようにする段階と、
前記ガスタービン（１００）に関連した特性に少なくとも部分的に基づいて、前記圧縮機抽出空気（１１４）又は前記冷却媒体（１２２）の少なくとも一方を選択的に制御する段階と、
を有することを特徴とする方法。
【請求項８】
更に、前記ガスタービン（１００）に１台以上の分配装置を装着する段階であって、前記１台以上の分配装置（１２６）が前記圧縮機抽出空気（１１４）への前記冷却媒体（１２２）の導入の前に又は導入中に前記冷却媒体（１２２）の少なくとも一部分を分配できるようにする段階を有することを特徴とする、請求項７記載の方法。
【請求項９】
冷却媒体（１２２）を供給する段階が、前記圧縮機抽出空気（１１４）への前記冷却媒体（１２２）の導入の前に又は導入中に前記冷却媒体（１２２）の少なくとも一部分を分配するように動作できる１台以上の分配装置（１２６）を設ける段階を含んでいることを特徴とする、請求項７記載の方法。
【請求項１０】
前記ガスタービンに関連した特性に少なくとも部分的に基づいて、前記圧縮機抽出空気（１１４）又は前記冷却媒体（１２２）の少なくとも一方を選択的に制御する段階が、少なくとも１つのプロセッサ（１２８）によって容易になされる、請求項７記載の方法。
【発明の詳細な説明】
【技術分野】
【０００１】
本発明は、一般的に云えば、回転機械に関し、より具体的には、圧縮機抽気冷却を制御するためのシステム及び方法に関するものである。
【背景技術】
【０００２】
一般的に、ガスタービンの圧縮機部分から抽出された冷却空気はガスタービンの全体の性能を減少させる虞がある。抽出された冷却空気の量が減少したとき、結果としてガスタービンの全体の性能が向上するが、ガスタービン構成要素の寿命が減少する虞がある。
【０００３】
少なくとも１種類の従来のガスタービンは、圧縮機部分から抽出された冷却空気を使用して、例えば、タービン部分内の様々な高温ガス流路構成要素を冷却する。従来のガスタービンでは、プラントのボトミング・サイクル(bottoming cycle) からの水を使用する熱交換器により、圧縮機部分から抽出された空気を冷却することができる。圧縮機部分から抽出された空気を最初に熱交換器に通すことによって、熱交換器は、プラントのボトミング・サイクルからの水を介して、空気から熱を除去して、その空気をタービン部分へ送出することができる。
【先行技術文献】
【特許文献】
【０００４】
【特許文献１】米国特許第７３６７１７８号
【発明の概要】
【発明が解決しようとする課題】
【０００５】
抽出された圧縮機空気を冷却するために熱交換器を使用することは、熱交換器及び関連機器の維持及び運転コストに起因して比較的経費が高くなる虞がある。
【課題を解決するための手段】
【０００６】
本発明の様々な実施形態は、上述した必要性の幾分か又は全てを対象とすることができる。本発明の一実施形態によれば、圧縮機抽気冷却を制御するための方法を開示する。本方法は、冷却媒体を供給する段階を含むことができる。本方法は、ガスタービンに関連した圧縮機から空気を抽出する段階を含むことができる。本方法はまた、圧縮機抽出空気に冷却媒体を導入する段階を含むことができ、この場合、圧縮機抽出空気は、タービン部分への導入の前に又は導入中に冷却媒体によって冷却される。また更に、本方法は、ガスタービンに関連した特性に少なくとも部分的に基づいて、圧縮機抽出空気又は冷却媒体の少なくとも一方を選択的に制御する段階を含むことができる。
【０００７】
本発明の別の実施形態によれば、圧縮機抽気冷却を制御するためのシステムを開示する。本システムは、冷却媒体を貯蔵するように動作できる１台以上の貯蔵装置を含むことができる。更に、本システムは、１台以上の貯蔵装置から冷却媒体を受け取るように動作できる１台以上の分配装置を含むことができる。１台以上の分配装置は更に、圧縮機抽出空気への導入の前に又は導入中に冷却媒体の少なくとも一部分を導入するように動作できるようにすることができ、この場合、圧縮機抽出空気はタービン部分への導入の前に冷却媒体によって冷却される。また更に、本システムは、ガスタービンに関連した特性に少なくとも部分的に基づいて、圧縮機抽出空気又は冷却媒体の少なくとも一方を選択的に制御するように動作できる１台以上の制御装置を含むことができる。
【０００８】
本発明の更に別の実施形態によれば、ガスタービンを開示する。本ガスタービンは、タービン部分及び圧縮機を含むことができ、この場合、タービン部分に導入するために圧縮機の少なくとも一部分から空気が抽出される。本ガスタービンはまた、冷却媒体を貯蔵するように動作できる１台以上の貯蔵装置を含むことができる。本ガスタービンはまた、１台以上の貯蔵装置から冷却媒体を受け取るように動作できる１台以上の分配装置を含むことができる。その上、１台以上の分配装置は更に、圧縮機の少なくとも一部分から抽出された空気への冷却媒体の導入の前に又は導入中に冷却媒体の少なくとも一部分を導入するように動作できるようにすることができ、この場合、空気はタービン部分への導入の前に冷却媒体によって冷却される。また更に、ガスタービンは、該ガスタービンに関連した特性に少なくとも部分的に基づいて、圧縮機抽出空気又は冷却媒体の少なくとも一方を選択的に制御するように動作できる１台以上の制御装置を含むことができる。
【０００９】
本発明の他の実施形態、面及び特徴は、以下の詳しい説明、添付の図面、並びに特許請求の範囲の記載から、当業者には明らかになろう。
【００１０】
これまで一般的な用語で本発明を述べたが、以下では添付の図面を参照して説明する。図面は必ずしも縮尺通りに描いてはいない。
【図面の簡単な説明】
【００１１】
【図１】図１は、本発明の一実施形態に従った模範的なシステム及びガスタービンの概略図である。
【図２】図２は、本発明の一実施形態に従ったガスタービン用の圧縮機抽気冷却制御システムについての模範的な論理流れ図である。
【図３】図３は、本発明の一実施形態に従ったガスタービン用の圧縮機抽気冷却制御システムについての別の模範的な論理流れ図である。
【図４】図４は、本発明の一実施形態に従ったガスタービン用の圧縮機抽気冷却制御システムについての別の模範的な論理流れ図である。
【図５】図５は、本発明の一実施形態に従った模範的な方法を例示する図である。
【発明を実施するための形態】
【００１２】
以下に、本発明の例示の実施形態について添付の図面を参照してより完全に説明する。実際、本発明は多数の異なる形態で具現化することができ、且つ本書で述べる実施形態に制限されるものとして解釈すべきではない。むしろ、これらの実施形態は、この開示が適用可能な法律上の要件を満足するように提供される。全体を通じて、同様な参照数字は同様な要素を表す。
【００１３】
圧縮機抽気冷却を制御するためのシステム及び方法が開示される。一実施形態における方法は、冷却媒体を供給する段階を含むことができる。本方法は、ガスタービンに関連した圧縮機から空気を抽出する段階を含むことができる。本方法はまた、圧縮機抽出空気に冷却媒体を導入する段階を含むことができ、この場合、圧縮機抽出空気はタービン部分への導入の前に又は導入中に冷却媒体によって冷却される。また更に、本方法は、ガスタービンに関連した特性に少なくとも部分的に基づいて、圧縮機抽出空気又は冷却媒体の少なくとも一方を選択的に制御する段階を含むことができる。本発明の別の実施形態によれば、圧縮機抽気冷却を提供するためのシステムを開示する。本システムは、冷却媒体を貯蔵するように動作できる１台以上の貯蔵装置を含むことができる。更に、本システムは、１台以上の貯蔵装置から冷却媒体を受け取るように動作できる１台以上の分配装置を含むことができる。１台以上の分配装置は更に、圧縮機抽出空気への導入の前に又は導入中に冷却媒体の少なくとも一部分を導入するように動作できるようにすることができ、この場合、圧縮機抽出空気はタービン部分への導入の前に冷却媒体によって冷却される。また更に、本システムは、ガスタービンに関連した特性に少なくとも部分的に基づいて、圧縮機抽出空気又は冷却媒体の少なくとも一方を選択的に制御するように動作できる１台以上の制御装置を含むことができる。いずれの実施形態でも、システム及び／又は方法の特定の実施形態を利用する新しい及び／又は改造したガスタービンを、比較的熱い周囲温度でほぼ定格燃焼温度で動作させることができる。従って、圧縮機抽出空気の温度を減少させた結果として、特定のの実施形態のシステム及び方法並びに関連したガスタービンは、ガスタービン性能を改善し且つガスタービン構成要素の寿命を維持するか又は寿命を延ばす技術的効果を持つことができる。
【００１４】
図１は、本発明の一実施形態に従った模範的なシステム及びガスタービンの概略図を示す。図１は模範的なガスタービン１００の特定の構成要素を示しており、それらには、圧縮機１０２と、タービン１０４と、圧縮機１０２及びタービン１０４を接続するシャフト１０６と、燃焼器１０８が含まれている。図１に示されている実施形態では、圧縮機１０２がガスを圧縮して吐出し、そして燃焼器１０８がその圧縮ガスを受け取って燃焼プロセスを開始する。燃焼器１０８からの燃焼ガスはタービン１０４を駆動し、そのタービン１０４はシャフト１０６を回転させて、発電機１１０を駆動する。次に、発電機１１０は、電力網１１２に出力するための電力を発生する。図１に示されている実施形態では、圧縮機からの空気１１４を、圧縮機１０２に関連した１つ以上の段１１６から抽出することができる。このような段１１６からの空気１１４は一般に「圧縮機抽出空気」と呼ぶことができる。一般に、圧縮機抽出空気はタービン１０４の１つ以上の部分１１８へ送るか又は伝送することができる。タービン１０４では、空気１１４はタービン１０４に関連した比較的高温のガス流路構成要素を冷却することができる。
【００１５】
図１に示されているように、ガスタービン１００の特定の部分に関連した温度及び圧力がＴ１，Ｔ２，Ｔ３及びＰ１，Ｐ２，Ｐ３でそれぞれ表されている。例えば、圧縮機抽出冷却空気の温度はＴ１として表されており、また圧縮機抽出冷却空気の圧力はＰ１として表されている。他の温度Ｔ２及びＴ３、並びに圧力Ｐ２及びＰ３については後で更に詳しく説明する。周囲温度及び圧力（Ｔａ及びＰａ）はガスタービン１００の外部に示されていて、外部で測定される。ガスタービン１００全体にわたるこれらの及び他の温度及び圧力は、それぞれのセンサ、熱電対又は他の監視装置によって測定するか又は求めることができる。
【００１６】
また図１に示されているように、圧縮抽出空気システム１２０をガスタービン１００に装着することができ、さもなければ後から取り付けることができる。システム１２０は水１２２のような１種類以上の冷却媒体の供給源を含むことができる。水１２２のような１種類以上の冷却媒体は１台以上のそれぞれの貯蔵装置１２４に貯蔵することができる。他の実施形態では、複数の種類の冷却媒体を、貯蔵装置１２４と同様なそれぞれの貯蔵装置に貯蔵することができる。冷却媒体（この例では、水１２２）の温度は、Ｔ２で表されている。
【００１７】
特定の実施形態では、冷却媒体は、それらに限定するものではないが、水、流体、ガス、或いは任意の液体又は圧縮ガスを含むことができる。
【００１８】
特定の実施形態では、貯蔵装置は、それらに限定するものではないが、タンク、容器、或いは前記冷却媒体を貯蔵することのできる任意の他の装置を含むことができる。実施形態によっては、冷却媒体はガスタービンから離れた場所又は遠隔に貯蔵することができ、また配管又は他の適当な装置を介してガスタービンへ周期的に又は連続的に伝送することができる。
【００１９】
また図１に示されているように、システム１２０は、１台以上の貯蔵装置１２４と連通している１台以上の分配装置１２６を含むことができる。この実施形態では、１台以上の分配装置１２６は、１台以上の貯蔵装置１２４から水１２２のような冷却媒体の少なくとも一部分を受け取ることができる。１台以上の分配装置１２６は更に、受け取った冷却媒体すなわち水１２２の少なくとも一部分を圧縮機抽出空気１１４へ導入するように動作できるようにすることができ、この場合、圧縮機抽出空気１１４はタービン１０４への導入の前に又は導入中に冷却媒体すなわち水１２２によって冷却される。他の実施形態では、複数の分配装置により、複数の貯蔵装置などからの複数のそれぞれの冷却媒体を圧縮機抽出空気１１４に導入することができる。いずれの場合でも、冷却媒体（この例では、水１２２）の相対的に低い温度Ｔ２により、圧縮機抽出空気１１４の相対的に高い温度Ｔ１をタービン１０４への導入中に温度Ｔ３へ低下させることができる。この例では、Ｔ１及びＰ１は、圧縮機抽出空気への冷却媒体の導入の前に測定が行われるので乾燥(dry) 測定値として知られており、またＴ３及びＰ３は、圧縮機抽出空気への冷却媒体の導入中に又は導入後に測定が行われるので湿り(wet) 測定値として知られている。このように、圧縮機抽出空気の温度を低下させた結果として、模範的な実施形態のシステムはタービン性能を実質的に向上させる技術的効果を持つことができる。
【００２０】
特定の実施形態では、分配装置は、それらに限定するものではないが、噴霧器、霧化器、吹付け装置、ノズル、マニホルド、又は冷却媒体を分配することのできる任意の他の装置を含むことができる。
【００２１】
また図１に示されているように、圧縮抽出空気システム１２０は、１台以上の分配装置１２６を制御し且つ圧縮機１０２の少なくとも一部分から抽出された空気１１４に対する冷却媒体（例えば、水１２２）のそれぞれの導入割合を制御するように動作できる１台以上のプロセッサ（例えば、１２８）を含むことができる。この及び他の実施形態では、１台以上のプロセッサ（例えば、１３０）及び他の制御型装置は、圧縮機１０２の少なくとも一部分から抽出される空気１１４の量を制御するように動作できるようにすることができる。特定の実施形態では、プロセッサ１２８及び１３０と同様な１台以上のプロセッサ並びに他の制御型装置は、空気１１４の量又は水１２２のような冷却媒体の導入割合の少なくとも一方を選択的に制御するように動作できるようにすることができる。この実施形態では、１台以上のプロセッサ１２８は、１台以上の分配装置１２６を制御し又は動作させるために、ガスタービン１００全体にわたって位置決めされた任意の数のセンサからの帰還信号を得ることができる。同様に、圧縮機１０２の少なくとも一部分から抽出される空気１１４の量を制御するように動作できる１台以上のプロセッサ及び他の制御型装置は、空気１１４の量を制御し又は操作するために、ガスタービン１００全体にわたって位置決めされた任意の数のセンサからの帰還信号を得ることができる。特定の実施形態では、圧縮機１０２の少なくとも一部分から抽出される空気１１４の量を制御するように動作できる１台以上のプロセッサ及び他の制御型装置は、空気１１４の量又は水１２２のような冷却媒体の導入割合を選択的に制御し又は操作するために、ガスタービン１００全体にわたって位置決めされた任意の数のセンサからの帰還信号を得ることができる。
【００２２】
一実施形態では、システムの一実施形態に従ったシステム及びガスタービン用の模範的な分配装置は、或る分配装置とすることができる。その分配装置は、例えば、入口、ノズル・ヘッド、及び分配器部分を含むことができる。この実施形態では、分配装置は、少なくとも１つの圧縮機段（例えば、図１の１１６）とタービンの少なくとも一部分（例えば、図１の１１８）との間でガスタービンの一部分に装着することができる。入口は少なくとも１種類の冷却媒体（例えば、図１の水１２０）を受け取ることができる。ノズル・ヘッドは、入口と連通していて、入口から少なくとも１種類の冷却媒体（例えば、水１２０）を受け取ることができる。分配器部分は、ノズル・ヘッドと連通していて、少なくとも１種類の冷却媒体（例えば、水１２０）を分配して、少なくとも１種類の媒体（例えば、水１２０）の少なくとも一部分をタービン部分（例えば、図１の１０４）に導入することができる。
【００２３】
図２〜図４は、ガスタービン（例えば、図１の１００）用の圧縮機抽気冷却制御システムを具現化することのできる模範的な論理の流れを例示する。図２は、本発明の一実施形態に従ったガスタービン用の圧縮機抽気冷却制御システムについての模範的な論理流れ図を例示する。この論理流れ図は、圧縮機抽気冷却制御システム用の模範的な制御アルゴリズム２００を例示しており、このアルゴリズム２００は、圧縮機抽出空気又はタービンへ導入される冷却媒体の量を制御することができる。制御アルゴリズム（例えば、２００）は、コンピュータ読取り可能な媒体上に記憶されている一組のコンピュータ実行可能な命令として、例えば、１台以上のプロセッサ１２８、ソフトウエア、ハードウエア、或いはそれらの任意の組合せで実行することができる。本発明の実施形態に従った他の適当な制御アルゴリズムは、以下に説明する要素を含むことができ、また以下に説明する要素よりも少数の又は多数の要素を含むことができる。
【００２４】
模範的な制御アルゴリズム２００は入力２０２で開始する。入力２０２では、１つ以上の周囲状態(ambient condition) の測定値が受け取られる。周囲状態には、それらに限定するものではないが、周囲温度、周囲圧力、湿度、時間、又は日付を含むことができる。この実施形態では、周囲状態はガスタービン１００又はシステム１２０のための空気入口で又はその近くで１つ以上のセンサによって測定することができる。
【００２５】
入力２０２はブロック２０４に導かれる。ブロック２０４では、ブロック２０４に関連した少なくとも１つの関数（例えば、Ｆ（ｘ））によって１つ以上の周囲状態を処理する。ブロック２０４は、アルゴリズム、多項式、指数関数、伝達関数、ルックアップ・テーブル、又はそれらの任意の組合せを含む任意の数の関数を実装することができる。例えば、図２に示されている実施形態では、ブロック２０４に実装されるルックアップ・テーブルは、一連の温度、圧力、湿度、及び対応する質量流量のような以前に記憶された状態を含むことができる。一実施形態では、周囲温度及び圧力が存在するか又は測定されるとき、水１２２のような冷却媒体についての質量流量を選択することができる。冷却媒体についての選択される質量流量は、冷却媒体が圧縮機抽出空気（例えば、１１４）について持つ所望の又は期待される効果に少なくとも部分的に基づいて選択することができる。例えば、約１００度の周囲状態が測定されてルックアップ・テーブルに入力された場合、約３ポンド／秒の質量流量を出力することができる。このように、１つ以上の周囲状態測定値を入力２０２から受け取ったとき、これらの周囲状態測定値はブロック２０４の関連したルックアップ・テーブル内の状態と比較するか、又はブロック２０４に関連した随伴関数Ｆ（ｘ）によって処理することができ、そして冷却媒体についての選択された質量流量をブロック２０４から出力することができる。
【００２６】
一実施形態では、ブロック２０４からの選択された質量流量のみを用いて、圧縮機抽気冷却を制御することができる。このような実施形態では、以前に記憶された状態を貯蔵しているルックアップ・テーブルで１つ以上の周囲状態を使用することにより、冷却媒体についての選択された質量流量を出力することができ、これは圧縮機抽気冷却を制御するために使用することができる。一旦選択された質量流量がブロック２０４で決定されると、選択された質量流量２０６は、１台以上の貯蔵装置１２４、１台以上の分配装置１２６及び／又は１台以上のプロセッサ１２８を制御するために、追加の修正無しで用いることができ、これにより、選択された質量流量の冷却媒体を圧縮機抽出空気に供給するのを容易にすることができる。例えば、選択された質量流量は少なくとも１つのプロセッサ１２８に供給することができ、プロセッサ１２８は次に適当な制御指令を任意の数の貯蔵装置１２４及び／又は分配装置１２６に供給して、冷却媒体の選択された質量流量を容易にすることができる。
【００２７】
一実施形態では、追加のセンサ及び計算を用いることにより、制御システムに帰還信号を与えることができる。このような実施形態では、図２における残りのセンサ及び計算もまた、質量流量を制御するために用いられる。ブロック２０４に戻って説明すると、一旦選択された質量流量が出力されると、出力２０６はブロック２０８へ導かれる。ブロック２０８では、期待される冷却後又は湿り抽気温度の計算が行われる。例えば、以前の実例に基づいて、１００度の周囲温度が存在し且つ３ポンド／秒の冷却媒体質量流量が選択された場合、ブロック２０８はこの情報を利用して、約４００度のような期待される冷却後又は湿り抽気温度を決定することができる。この実施形態では、期待される冷却後又は湿り抽気温度を決定するために適当なアルゴリズム又は関数を用いることができる。
【００２８】
一実施形態では、所与の量の冷却媒体の流れ（例えば、水の流れ）によって惹起される期待される温度減少は、混合すべき空気と水の熱力学特性を用いて計算することができる。特定の場合では、この熱力学特性の計算は、プロセッサ利用の能動制御システムを用いて決定することができる。他の場合では、開発された又は上記の熱力学特性に少なくとも部分的に基づいた適当な関数又は伝達関数を用いることにより、期待される抽気温度を計算することができる。この関数又は伝達関数は、計算された熱力学的特性を用いるよりもむしろ、期待される抽気温度を計算するために制御システムで用いることができる。適当な関数又は伝達関数は、例えば、以下の形式のものとすることができる。
【００２９】
Ｔｗｅｔ  ＝ＴＤｒｙ  −Ｋ＊ＷＨ２Ｏ
上式で、Ｔｗｅｔ  ＝冷却後の抽出空気の温度
ＴＤｒｙ  ＝冷却前の抽出空気の温度
Ｋ＝熱力学的特性に基づいた計算された定数
ＷＨ２Ｏ  ＝水の流量
である。
【００３０】
他の適当な関数又は伝達関数はより複雑なものであってよい。他の適当な関数又は伝達関数は、それらに限定するものではないが、指数関数及び／又は多項式を含む一層高等な数学を利用することができる。また更に、特定の実施形態では、実際の関数又は伝達関数よりはむしろ、ルックアップ・テーブルを利用することができる。
【００３１】
ブロック２０８の後にブロック２１０が続き、ブロック２１０では、入力２１２に実際の又は測定された冷却後又は湿り抽気温度を受け取って、これをブロック２０８からの期待される冷却後又は湿り抽気温度と比較する。入力２１２とブロック２０８からの出力との間の差に少なくとも部分的に基づいて、１つ以上の制御指令を、１台以上の貯蔵装置１２４、１台以上の分配装置１２６及び／又は１台以上のプロセッサ１２８によって実行して、実際の又は測定された冷却後又は湿り抽気温度と期待される冷却後又は湿り抽気温度との間の差を減少させるのを容易にすることができる。例えば、以前の実例に基づいて、実際の又は測定された冷却後又は湿り抽気温度が約４５０度である場合、実際の又は測定された冷却後又は湿り抽気温度と期待される冷却後又は湿り抽気温度との間の差はほぼ５０度であり、そこで、ブロック２１４で適当な増減係数を決定して、上記の差に適用することができる。
【００３２】
ブロック２１４で、増減係数を上記の差に適用して、ブロック２０８に入力される冷却媒体の選択された質量流量を適切に調節することができる。入力２１２とブロック２０８からの出力との間の差がブロック２１０で減少するにつれ、差に適用されるブロック２１４の増減係数が減少し、最終的に差がほぼゼロか又は別の所定の値になったとき、何ら更なる増減係数をブロック２１４で適用する必要がない。
【００３３】
一実施形態では、適当な増減係数は、温度差に適用することのできる比例定数を含む適当な関数を用いて決定することが可能である。例えば、水の流量は以下のように計算することができる。
【００３４】
Ｈ２Ｏ（新しい値）＝Ｈ２Ｏ（現在値）＋Ｋ＊（Ｔｄｅｓｉｒｅｄ−Ｔｍｅａｓｕｒｅｄ）
上式で、Ｋは、１つ以上の熱力学的特性に少なくとも部分的に基づいて定められた所定の定数である。
【００３５】
図３は、本発明の一実施形態に従ったガスタービン用の圧縮機抽気冷却制御システムについての別の論理流れ図を例示する。この論理流れ図は、圧縮機抽気冷却制御システムのための模範的な制御アルゴリズム３００を例示しており、アルゴリズム３００は圧縮機抽出空気又はタービンに導入される冷却媒体の量を制御することができる。制御アルゴリズム（例えば、３００）は、コンピュータ読取り可能な媒体上に記憶されている一組のコンピュータ実行可能な命令として、例えば、１台以上のプロセッサ１２８、ソフトウエア、ハードウエア、或いはそれらの任意の組合せで実行することができる。本発明の実施形態に従った他の適当な制御アルゴリズムは、以下に説明する要素を含むことができ、また以下に説明する要素よりも少数の又は多数の要素を含むことができる。
【００３６】
模範的な制御アルゴリズム３００は入力３０２で開始する。入力３０２で、図２における入力２０２と同様に１つ以上の周囲状態の測定値を受け取る。周囲状態には、それらに制限するものではないが、周囲温度、周囲圧力、湿度、時間、又は日付を含むことができる。この実施形態では、周囲状態は、ガスタービン１００又はシステム１２０のための空気入口で又はその近くで１つ以上のセンサによって測定することができる。
【００３７】
入力３０２は、（図２におけるブロック２０４と同様な）ブロック３０４へ導かれ、ブロック３０４では、１つ以上の周囲状態が少なくとも１つの関数（例えば、Ｆ（ｘ））によって処理される。前に述べたブロック２０４と同様に、ブロック３０４は、アルゴリズム、多項式、指数関数、伝達関数、ルックアップ・テーブル、又はそれらの任意の組合せを含む任意の数の関数を実装することができる。例えば、図３に示されている実施形態では、ブロック３０４に実装されるルックアップ・テーブルは、一連の温度、圧力、湿度、及び対応する質量流量のような以前に記憶された状態を含むことができる。一実施形態では、周囲温度及び圧力が存在するか又は測定されるとき、冷却媒体（例えば、水１２２）についての質量流量を選択することができる。冷却媒体についての選択される質量流量は、冷却媒体が圧縮機抽出空気（例えば、１１４）について持つ所望の又は期待される効果に少なくとも部分的に基づいて選択することができる。例えば、約１００度の周囲状態が測定されてルックアップ・テーブルに入力された場合、約３ポンド／秒の質量流量を出力することができる。従って、１つ以上の周囲状態測定値を入力３０２から受け取ったとき、これらの周囲状態測定値はブロック３０４の関連したルックアップ・テーブル内の状態と比較するか、又はブロック３０４に関連した随伴関数（例えば、Ｆ（ｘ））によって処理することができ、そして冷却媒体についての選択された質量流量をブロック３０４から出力することができる。
【００３８】
一旦選択された質量流量がブロック３０４から出力されると、その出力３０６はブロック３０８へ導かれる。ブロック３０８は、冷却媒体に関連した測定された質量流量の入力３１０を受け取り、そして選択された質量流量の出力３０６と測定された質量流量の入力３１０とを比較して、２つの量３０６及び３１０の間の相対的に大きい方の値又は最大値を決定することができる。どんな場合でも、ブロック３０８は比較ブロック３１４に最大質量流量を出力（３１２）することができ、比較ブロック３１４については以下に更に詳しく説明する。
【００３９】
比較ブロック３１４に対する別の入力が生成され、これは入力３１６から開始する。入力３１６は、１つ以上の測定された乾燥圧縮機抽気状態（例えば、温度及び／又は圧力）を表す。入力３１６はブロック３１８に導かれ、ブロック３１８では、適当な関数Ｙ（ｘ）により、所望の又は期待される冷却後又は湿り圧縮機抽気温度を決定する。例えば、約６００度の測定された乾燥圧縮機抽気温度が存在する場合、ブロック３１８はこの情報を利用して、所望の又は期待される冷却後又は湿り抽気温度（例えば、５００度）の出力３２０を決定することができる。この実施形態では、伝達関数のような適当な関数を用いることにより、所望の又は期待される冷却後又は湿り抽気温度を決定することができる。
【００４０】
一実施形態では、１つ以上の熱力学的特性計算を含む物理学ベースのモデルに少なくとも部分的に基づいて、適当な関数又は伝達関数を開発することができる。適当な関数又は伝達関数の形態は、任意の数のアルゴリズム、多項式、指数関数、又は他の種類の等式を含むことができる。
【００４１】
出力３２０はブロック３２２で受け取られ、このブロック３２２では、実際の又は測定された冷却後又は湿り抽気温度の別の入力３２４を受け取って、ブロック３１８からの期待される冷却後又は湿り抽気温度と比較することができる。ブロック３２２では、出力３２０と入力３２４との間の差の決定を行うことができ、その差は期待される冷却後又は湿り抽気温度と実際の又は測定された冷却後又は湿り抽気温度との間の差を表すことができる。どのような場合でも、差に関連した出力３２６はブロック３２８で受け取ることができる。
【００４２】
ブロック３２８で、実際の又は測定された冷却後又は湿り抽気温度と期待される冷却後又は湿り抽気温度との間の差を適切に減少させるために、増減係数を決定するか又は適用することができる。例えば、Ｇ（ｘ）のような関数を差に適用することにより、増減係数を出力（３３０）することができる。ブロック３２８からの増減係数に関連した出力３３０はブロック３１４に入力して、冷却媒体についての選択された質量流量を適切に変更することができる。入力３２４とブロック３１８からの出力３２０との間の差がブロック３２２で減少するにつれ、差にブロック３２８で適用される増減係数が減少し、最終的に差がほぼゼロか又は別の所定の値になったとき、何ら更なる増減係数を、ブロック３２８で決定するか又は適用する必要はなく、及び／又は冷却媒体についての選択された質量流量を変更するためにブロック３１４に入力する必要はない。例えば、以前の実例に基づいて、実際の又は測定された冷却後又は湿り抽気温度が約５５０度である場合、実際の又は測定された冷却後又は湿り抽気温度と期待される冷却後又は湿り抽気温度との間の差はほぼ５０度であり、そこでブロック３１４で調節され又は修正された選択された質量流量を決定するために、適当な増減係数の出力３３０を決定して上記の差に適用することができる。
【００４３】
ブロック３１４に戻って説明すると、冷却媒体についての選択された質量流量に対する任意の変更が実行された後、調節され又は修正された選択された質量流量の出力３３２がブロック３３４で比較される。ブロック３３４では、冷却媒体についての最大許容質量流量の入力３３６が、ブロック３１４からの調節され又は修正された選択された質量流量に関連した出力３３２と比較される。ブロック３３４は、ブロック３１４からの調節され又は修正された選択された質量流量に関連した出力３３２と冷却媒体についての最大許容質量流量との間の最小質量流量又は相対的に小さい方の値を決定することができる。ブロック３３４からの出力３３６は最終的な質量流量の決定を表し、これは冷却媒体の特定の所望の質量流量を要求するために用いることができる。
【００４４】
出力３３６に少なくとも部分的に基づいて、１つ以上の制御指令を、１台以上の貯蔵装置１２４、１台以上の分配装置１２６及び／又は１台以上のプロセッサ１２８によって実行して、実際の又は測定された冷却後又は湿り抽気温度と期待される冷却後又は湿り抽気温度との間の差を減少させるのを容易にすることができる。
【００４５】
アルゴリズム３００は出力３３６の後に終了させることができる。
【００４６】
一実施形態では、１台以上の制御装置は、タービン部分並びに関連した高温ガス流路及びロータ要素を冷却するために圧縮機抽出空気の質量流量及び温度を制御することができる。この実施形態の一面では、圧縮機抽出空気流量は能動的に制御することができ、そこで、可変量の冷却媒体を空気流の流れに導入し又は霧状形態で注入して、ガスタービンに関連した目標の温度又は他の特性を達成することができる。この実施形態での能動制御は、圧縮機抽出空気及び冷却媒体の両方について、温度、圧力及び質量流量の測定値を監視することを含むことができる。能動型の制御を実行する１台以上の制御装置は、冷却媒体の流量及び冷却媒体の温度を能動的に制御して、圧縮機抽出空気を適切に冷却することができる。特定の場合には、構成要素寿命及びガスタービン性能を推定することができ、そこで１台以上の制御装置は、構成要素寿命及び／又はガスタービン性能を最適化するために構成要素寿命及びガスタービン性能の推定値を比較することができる。
【００４７】
別の実施形態では、１台以上の制御装置は、ガスタービンに関連した１つ以上の予め定義された目標特性を持つテーブル又はルックアップ・テーブルにアクセスできる開ループ制御装置を実装することができる。目標特性は圧縮機抽出空気流量及び／又は冷却媒体流量を含むことができる。
【００４８】
別の実施形態では、１台以上の制御装置は、冷却媒体流量及び／又は温度を能動的に制御する閉ループ制御装置を実装することができる。この実施形態の一面では、閉ループ制御装置は、タービン部分に関連した特定の下流側構成要素の金属の温度に依存して、冷却媒体流量及び／又は温度を能動的に制御することができる。
【００４９】
別の実施形態では、１台以上の制御装置は、冷却媒体流量及び／又は温度を能動的に制御する閉ループ制御装置を実装することができる。この実施形態の一面では、閉ループ制御装置は、タービン部分に関連した特定の下流側構成要素の金属の温度に依存して、冷却媒体流量及び／又は温度を能動的に制御することができる。
【００５０】
図４は、本発明の一実施形態に従ったガスタービン用の圧縮機抽気冷却制御システムについての別の模範的な論理流れ図を例示する。この論理流れ図は、圧縮機抽気冷却制御システムのための模範的な制御アルゴリズム４００を例示しており、アルゴリズム４００は圧縮機抽出空気又はタービンに導入される圧縮機抽出空気の量又は冷却媒体の量の少なくとも一方を制御することができる。制御アルゴリズム（例えば、４００）は、コンピュータ読取り可能な媒体上に記憶されている一組のコンピュータ実行可能な命令として、例えば、プロセッサ１２８及び１３０と同様な１台以上のプロセッサ、ソフトウエア、ハードウエア、或いはそれらの任意の組合せで実行することができる。本発明の実施形態に従った他の適当な制御アルゴリズムは、以下に説明する要素を含むことができ、また以下に説明する要素よりも少数の又は多数の要素を含むことができる。
【００５１】
模範的な制御アルゴリズム４００は、圧縮機抽出空気又はタービンへ導入される冷却媒体の量を制御するための論理を含む。図４における要素４０２〜４３６は図３における要素３０２〜３３６に直接対応し、要素４０２〜４３６は前に要素３０２〜３３６について説明したことと実質的に同じである。加えて、制御アルゴリズム４００は圧縮機抽出空気の量を制御するための論理を含む。入力４３８は論理のこの部分を開始する。
【００５２】
入力４３８で、１つ以上の周囲状態の測定値が受け取られる。周囲状態には、それらに制限するものでないが、周囲温度、周囲圧力、湿度、時間、又は日付を含むことができる。この実施形態では、周囲状態はガスタービン１００又はシステム１２０のための空気入口で又はその近くで１つ以上のセンサによって測定することができる。
【００５３】
入力４３８はブロック４４０に導かれ、ブロック４４０では、１つ以上の周囲状態が少なくとも１つの関数（例えば、Ａ（ｘ））によって処理される。ブロック４４０は、アルゴリズム、多項式、指数関数、伝達関数、ルックアップ・テーブル、又はそれらの任意の組合せを含む任意の数の関数を実装することができる。例えば、図４に示されている実施形態では、ブロック４４０に実装されるルックアップ・テーブルが、一連の温度、圧力、湿度、及び対応する質量流量のような以前に記憶された状態を含むことができる。一実施形態では、周囲温度及び圧力が存在するか又は測定されたとき、圧縮機抽出空気（例えば、１１４）についての公称乾燥温度を選択することができる。圧縮機抽出空気についての公称乾燥温度は、圧縮機抽出空気がタービン１０４について持つ所望の又は期待される冷却効果に少なくとも部分的に基づいて選択することができる。例えば、約１００度の周囲状態が測定されてルックアップ・テーブルに入力された場合、約６００度の圧縮機抽出空気についての公称乾燥温度出力を出力することができる。従って、１つ以上の周囲状態測定値を入力４３８から受け取ったとき、これらの周囲状態測定値は、ブロック４４０の関連したルックアップ・テーブル内の状態と比較するか、或いはブロック４４０に関連した随伴関数（例えば、Ａ（ｘ））によって処理することができ、そして圧縮機抽出空気についての公称乾燥温度をブロック４４０から出力することができる。
【００５４】
一旦圧縮機抽出空気についての公称乾燥温度が出力されると、出力４４２はブロック４４４に導かれる。ブロック４４４への別の入力４４６は、測定された湿り圧縮機抽気温度である。ブロック４４４において、公称乾燥温度及び測定された湿り圧縮機抽気温度を用いて、公称乾燥温度と測定された湿り圧縮機抽気温度との間の差に少なくとも部分的に基づいて温度マージンの計算が行われる。この実施形態では、温度マージンを決定するために、適当なアルゴリズム又は関数を用いることができる。
【００５５】
ブロック４４４からの温度マージンに関連した出力４４８は、関数ブロック４５０に入力される。関数ブロック４５０では、適当なアルゴリズム又は関数（例えば、Ｂ（ｘ））により、許容圧縮機抽気流量減少値又は増大値を決定することができる。ブロック４５０は、アルゴリズム、多項式、指数関数、伝達関数、ルックアップ・テーブル、又はそれらの任意の組合せを含む任意の数の関数を実装することができる。ブロック４５０から、許容圧縮機抽気流量減少値又は増大値を表す出力４５２を得ることができる。
【００５６】
出力４５２に少なくとも部分的に基づいて、１つ以上の制御指令を、１台以上の貯蔵装置１２４、１台以上の分配装置１２６及び／又は１台以上のプロセッサ１２８によって実行して、公称乾燥圧縮機抽気温度と測定された湿り圧縮機抽気温度との間の差を減少させるのを容易にすることができる。
【００５７】
アルゴリズム４００は出力４５２の後に終了させることができる。
【００５８】
図５は、本発明の一実施形態に従ったガスタービンにおける圧縮機抽気冷却を制御するための模範的な方法５００を例示する流れ図である。図示の実施形態では、模範的な方法５００は、図１のガスタービン１００のようなガスタービンに関連した圧縮機抽出空気の冷却を制御するために実行することができる。
【００５９】
この模範的な方法はブロック５０２で開始する。ブロック５０２で、冷却媒体が供給される。この実施形態では、供給される冷却媒体は、１つ以上のそれぞれの貯蔵装置１２４に貯蔵されている水（例えば、図１の１２２）とすることができる。
【００６０】
一実施形態の一面では、冷却媒体は、水、流体、ガス、或いは任意の液体又は圧縮ガスの内の少なくとも１種類を含むことができる。
【００６１】
一実施形態の一面では、特性は、タービン部分内の下流側圧力、タービン部分内の下流側空気温度、タービン部分の一部分の下流側金属温度、周囲温度、圧縮機抽出空気に関連した空気流量測定値、圧縮機抽出空気に関連した圧力測定値、圧縮機抽出空気に関連した温度測定値、冷却媒体流量測定値、冷却媒体温度、冷却媒体圧力、又はそれらの任意の組合せの内の少なくとも１つを含むことができる。
【００６２】
一実施形態の一面では、冷却媒体を供給する段階は、圧縮機抽出空気への冷却媒体の導入の前に又は導入中に冷却媒体の少なくとも一部分を分配するように動作できる１台以上の分配装置を設けることを含むことができる。
【００６３】
ブロック５０２の後にブロック５０４が続き、ブロック５０４では、ガスタービンに関連した圧縮機から空気が抽出される。この実施形態では、圧縮機（例えば、図１の１０２）からの空気（例えば、図１の１１４）を、圧縮機１０２に関連した１つ以上の段（例えば、１１６）から抽出することができる。
【００６４】
ブロック５０４の後にはブロック５０６が続き、ブロック５０６では、冷却媒体が圧縮機抽出空気に導入され、その場合、圧縮機抽出空気はタービン部分への導入の前に又は導入中に冷却媒体によって冷却される。この実施形態では、１台以上の分配装置（例えば、図１の１２６）により、受け取った冷却媒体又は水１２２の少なくとも一部分を圧縮機抽出空気１１４に導入することができ、その場合、圧縮機抽出空気１１４はタービン（例えば、１０４）への導入の前に又は導入中に冷却媒体又は水１２２によって冷却される。
【００６５】
ブロック５０６の後にはブロック５０８が続き、ブロック５０８では、圧縮機抽出空気又は冷却媒体の少なくとも一方が、ガスタービンに関連した特性に少なくとも部分的に基づいて選択的に制御される。この実施形態では、１台以上のプロセッサ（例えば、図１の１２８）が、１台以上の分配装置（例えば、１２６）を制御し、且つ圧縮機１０２の少なくとも一部分から抽出された空気（例えば、１１４）への冷却媒体（例えば、水１２２）のそれぞれの導入量を制御することができる。また更に、この実施形態では、１台以上のプロセッサ１２８は、ガスタービン１００全体にわたって配置された任意の数のセンサからの帰還信号を受け取って、１台以上の分配装置１２６を制御するか又は動作させることができる。別の実施形態では、１台以上のプロセッサ（例えば、１３０）が１つ以上の制御型装置又は分配装置を制御し、且つ圧縮機１０２の少なくとも一部分から抽出される空気（例えば、１１４）の量を制御することができる。また更に、このような実施形態では、（１２８及び１３０と同様な）１台以上のプロセッサが、ガスタービン１００全体にわたって配置された任意の数のセンサからの帰還信号を受け取って、空気１１４の量を制御するように１台以上の制御型装置又は分配装置を制御するか又は動作させることができる。
【００６６】
一実施形態の一面では、ガスタービンに関連した特性に少なくとも部分的に基づいて圧縮機抽出空気又は冷却媒体の少なくとも一方を選択的に制御する段階は、（１）圧縮機抽出空気に導入される冷却媒体の量を制御すること、（２）圧縮機抽出空気に導入される冷却媒体の温度を制御すること、（３）圧縮機抽出空気に導入される冷却媒体の圧力を制御すること、（４）タービン部分に導入される圧縮機抽出空気の量を制御すること、（５）タービン部分に導入される圧縮機抽出空気の温度を制御すること、（６）タービン部分に導入される圧縮機抽出空気の圧力を制御すること、又は（７）それらの任意の組合せの内の少なくとも１つを有する。
【００６７】
一実施形態の一面では、１台以上の制御装置は、開ループ型制御、能動型制御、閉ループ型制御、又は受動型制御の少なくとも１つを実行することができる。
【００６８】
一実施形態の一面では、ガスタービンに関連した特性に少なくとも部分的に基づいて圧縮機抽出空気又は冷却媒体の少なくとも一方を選択的に制御することは、ガスタービンに関連した１つ以上の予め定義された目標特性を持つテーブルを有する開ループ型制御装置によって容易に行うことができる。
【００６９】
一実施形態の一面では、冷却媒体を圧縮機抽出空気に導入する段階は、冷却媒体の少なくとも一部分を分配し、次いで冷却媒体の少なくとも分配された部分を圧縮機抽出空気に導入することを有する。
【００７０】
一実施形態の一面では、ガスタービンに関連した特性に少なくとも部分的に基づいて圧縮機抽出空気又は冷却媒体の少なくとも一方を選択的に制御することは、少なくとも１つのプロセッサによって容易になされる。
【００７１】
一実施形態では、方法５００は、１台以上の分配装置をガスタービンに装着することを含むことができ、その場合、１台以上の分配装置は、圧縮機抽出空気への冷却媒体の導入の前に又は導入中に冷却媒体の少なくとも一部分を分配することができる。
【００７２】
一実施形態では、方法５００は、圧縮機抽出空気への冷却媒体の導入の前に又は導入中に冷却媒体の少なくとも一部分を分配することを含むことができ、その場合、圧縮機抽出空気はタービン部分への導入の前に、その分配された冷却媒体によって冷却される。
【００７３】
方法５００はブロック５０８の後に終了する。
【００７４】
図５の模範的な要素は例として示したものであり、他のプロセスの実施形態はより少数の又はより多数の要素を持つことができ、このような要素は本発明の他の実施形態に従った代替構成に配列することができる。
【００７５】
本発明を最も実用的で好ましい実施形態であると現時点で考えられるものについて説明したが、本発明は開示した実施形態に制限されず、それよりもむしろ、「特許請求の範囲」に記載の精神及び範囲内に含まれる様々な修正及び等価な構成を包含するものであることを理解されたい。
【００７６】
本明細書は、最良の実施形態を含めて、本発明を開示するために、また当業者が任意の装置、機器又はシステムを作成し使用し、任意の採用した方法を遂行すること含めて、本発明を実施することができるようにするために、様々な例を使用した。本発明の特許可能な範囲は「特許請求の範囲」の記載に定めており、また当業者に考えられる他の例を含み得る。このような他の例は、それらが特許請求の範囲の文字通りの記載から実質的に差異のない構造的要素を持つ場合、或いはそれらが「特許請求の範囲」の文字通りの記載から実質的に差異のない等価な構造的要素を含む場合、特許請求の範囲内にあるものとする。
【符号の説明】
【００７７】
１００  ガスタービン
１０２  圧縮機
１０４  タービン
１０６  シャフト
１０８  燃焼器
１１０  発電機
１１２  電力網
１１４  空気
１１６  段
１１８  タービンの一部分
１２０  システム
１２２  水
１２４  貯蔵装置
１２６  分配装置
１２８  プロセッサ
１３０  プロセッサ
２００  制御アルゴリズム
２１０  比較ブロック
３００  制御アルゴリズム
３１２  出力
３１４  比較ブロック
３２２  比較ブロック
３２６  出力
４００  制御アルゴリズム
４１２  出力
４１４  比較ブロック
４２２  比較ブロック
４２６  出力
４４４  比較ブロック
５００  圧縮機抽気冷却を制御するための方法
【図１】
2010242751.tif 000003
【図２】
2010242751.tif 000004
【図３】
2010242751.tif 000005
【図４】
2010242751.tif 000006
【図５】
2010242751.tif 000007